(57)【要約】【課題】インターホン装置の居室親機におけるＣＰＵの処理負荷を低減し、圧縮データの画質劣化を低減する。【解決手段】インターホン装置１の居室親機２０では、ビデオデータ２０２の出力に含まれるフィールド信号または垂直同期信号が出力されるタイミングに基づいて、デジタルビデオ信号を第１圧縮データまたは第２圧縮データに圧縮するようになっているとともに、フィールド信号または垂直同期信号が出力されるタイミングに基づいてＪＰＥＧエンコーダ２０４から出力されるデータの出力先を切り替えるようになっている。このインターホン装置によれば、所定のタイミングに基づいて自動的に第１圧縮データまたは第２圧縮データが生成され、圧縮データの出力先も自動的に切り替わるようになっているので、ＣＰＵが必要に応じてその都度ＪＰＥＧデータを生成し振り分ける必要がなく、ＣＰＵの処理負荷を低減することができる。【選択図】図１
2010130521.tif 000002
【特許請求の範囲】
【請求項１】
来訪者を撮像するカメラおよび居住者を呼び出す機能を備えるカメラ付き玄関子機と、前記カメラの撮像画像を表示するモニタまたは前記カメラ付き玄関子機からの呼び出しに応答する機能のうちの少なくとも一方を有する居室親機とを有するインターホン装置であって、
前記居室親機は、前記カメラ付き玄関子機の前記カメラにより撮像されたデータである撮像画像データをＡＤ変換してデジタルビデオ信号を出力するデータ変換手段と、前記データ変換手段の出力に含まれる所定の信号が出力されるタイミングに基づいて前記デジタルビデオ信号を圧縮するデータ圧縮手段と、前記データ変換手段の出力に含まれる所定の信号が出力されるタイミングに基づいて前記データ圧縮手段から出力されるデータの出力先を切り替える出力先切り替え手段と、を有しており、
前記データ圧縮手段は、所定の画面サイズの第１圧縮データと、この第１圧縮データと画面サイズまたは圧縮率の少なくとも一方が異なる、少なくとも一つ以上の第Ｎ圧縮データ（Ｎは２以上の整数）とを所定の間隔ごとに順番に生成するようになっており、
前記出力先切り替え手段は、前記第１圧縮データを第１の出力先に出力し、前記第Ｎ圧縮データを前記第１の出力先と異なる、少なくとも一つ以上の第Ｎの出力先に出力するようになっている、
インターホン装置。
【請求項２】
前記データ圧縮手段は、前記データ変換手段の出力に含まれる所定の信号が出力される度に、前記デジタルビデオ信号を圧縮するようになっている、
請求項１記載のインターホン装置。
【請求項３】
前記データ圧縮手段は、前記第１圧縮データまたは前記第Ｎ圧縮データをＭ個ずつ順番に生成するようになっており、
前記出力先切り替え手段は、前記データ変換手段の出力に含まれる所定の信号がＭ回出力される度に前記データの出力先を切り替えるようになっている、
請求項２記載のインターホン装置。
【請求項４】
前記データ変換手段の出力に含まれる所定の信号は、前記データ変換手段が出力する垂直同期信号またはフィールド信号である、
請求項１ないし３のいずれかの項記載のインターホン装置。
【請求項５】
前記居室親機は、前記第１圧縮データおよび前記第Ｎ圧縮データのうちの少なくとも１つの圧縮データのデータサイズが所定の範囲内のサイズであるか否かを判定するデータサイズ判定手段をさらに有しており、
前記データサイズ判定手段は、前記圧縮データのデータサイズが所定の範囲内にないと判定した場合、前記圧縮データのデータサイズが前記所定の範囲内となるように、前記圧縮データの圧縮率を可変させてさらに圧縮するように制御する、
請求項１ないし４のいずれかの項記載のインターホン装置。
【請求項６】
来訪者を撮像するカメラおよび居住者を呼び出す機能を備えるインターホン装置のカメラ付き玄関子機と組み合わせて用いられ、前記カメラの撮像画像を表示するモニタまたは前記カメラ付き玄関子機からの呼び出しに応答する機能の少なくとも一方を有する、インターホン装置の居室親機であって、
前記カメラ付き玄関子機の前記カメラにより撮像されたデータである撮像画像データをＡＤ変換してデジタルビデオ信号を出力するデータ変換手段と、前記データ変換手段の出力に含まれる所定の信号が出力されるタイミングに基づいて前記デジタルビデオ信号を圧縮するデータ圧縮手段と、前記データ変換手段の出力に含まれる所定の信号が出力されるタイミングに基づいて前記データ圧縮手段から出力されるデータの出力先を切り替える出力先切り替え手段と、を有しており、
前記データ圧縮手段は、所定の画面サイズの第１圧縮データと、この第１圧縮データと画面サイズまたは圧縮率の少なくとも一方が異なる、少なくとも一つ以上の第Ｎ圧縮データ（Ｎは２以上の整数）とを所定の間隔ごとに順番に生成するようになっており、
前記出力先切り替え手段は、前記第１圧縮データを第１の出力先に出力し、前記第Ｎ圧縮データを前記第１の出力先と異なる、少なくとも一つ以上の第Ｎの出力先に出力するようになっている、
インターホン装置の居室親機。
【請求項７】
前記第１圧縮データおよび前記第Ｎ圧縮データのうちの少なくともの１つの圧縮データのデータサイズが所定の範囲内のサイズであるか否かを判定するデータサイズ判定手段をさらに有しており、
前記データサイズ判定手段は、前記圧縮データのデータサイズが所定の範囲内にないと判定した場合、前記圧縮データのデータサイズが前記所定の範囲内となるように、前記圧縮データの圧縮率を可変させてさらに圧縮するように制御する、
請求項６記載のインターホン装置の居室親機。
【請求項８】
来訪者を撮像するカメラおよび居住者を呼び出す機能を備えるインターホン装置のカメラ付き玄関子機と組み合わせて用いられる機器において実行される方法であって、
前記カメラ付き玄関子機の前記カメラにより撮像されたデータである撮像画像データをＡＤ変換してデジタルビデオ信号を出力する過程と、
前記デジタルビデオ信号に含まれる所定の信号が出力されるタイミングに基づいて前記デジタルビデオ信号を圧縮し、所定の画面サイズの第１圧縮データと、この第１圧縮データと画面サイズまたは圧縮率の少なくとも一方が異なる、少なくとも一つ以上の第Ｎ圧縮データ（Ｎは２以上の整数）とを所定の間隔ごとに順番に生成する過程と、
前記デジタルビデオ信号に含まれる所定の信号が出力されるタイミングに基づいて、前記第１圧縮データを第１の出力先に出力し、前記第Ｎ圧縮データを前記第１の出力先と異なる、少なくとも一つ以上の第Ｎの出力先に出力するように、圧縮データの出力先を切り替える過程と、を有する、
データ処理方法。
【請求項９】
前記第１圧縮データおよび前記第Ｎ圧縮データのうち、少なくともの１つの圧縮データのデータサイズが所定の範囲内のサイズであるか否かを判定し、前記圧縮データのデータサイズが所定の範囲内にないと判定した場合、前記圧縮データのデータサイズが前記所定の範囲内となるように、前記圧縮データの圧縮率を可変させて再度圧縮する過程をさらに有する、
請求項８のデータ処理方法。
【発明の詳細な説明】
【技術分野】
【０００１】
本発明は、カメラ付き玄関子機と居室親機とを含むインターホン装置に関する。
【背景技術】
【０００２】
従来、図５に示すような構成のインターホン装置６１が知られている。このインターホン装置６１は、カメラ付き玄関子機７０と、このカメラ付き玄関子機７０から伝送されたビデオ信号を受信し、受信したビデオ信号をモニタに映すことができる居室親機８０とを含んでいる。
カメラ付き玄関子機７０は、主に住戸の玄関に設置され、居住者を呼び出すために用いられ、居室親機８０は、その住戸内に設置され、カメラ付き玄関子機７０からの呼び出しに応答するために用いられる。このカメラ付き玄関子機７０と居室親機８０とは伝送線路１００を介して接続される。また、居室親機８０はさらに、カメラ付き玄関子機７０からの画像が居室親機８０から無線伝送して表示されるワイヤレス端末９０と接続される。このワイヤレス端末９０は、居住者が携帯可能でカメラ付き玄関子機７０からの呼び出しに応答することが可能となっている。
【０００３】
【特許文献１】特開２００４−２６０３９０号公報
【特許文献２】特開２００１−１２８１５７号公報
【０００４】
このインターホン装置６１のカメラ付き玄関子機７０は、来訪者を撮像するカメラ７０１と、このカメラ７０１から出力されるビデオ信号を変調し伝送する変調回路７０２とを備える。
【０００５】
このインターホン装置６１の居室親機８０は、復調回路８０１と、ビデオデコーダ８０２と、モニタ８０３と、ＣＰＵ８０４と、記録媒体８０５と、ワイヤレスモジュール８０６とを備える。
復調回路８０１は、カメラ付き玄関子機７０から受信した変調されたビデオ信号、すなわち変調信号を復調するものである。ビデオデコーダ８０２は、復調回路８０１により復調されたビデオ信号、すなわち復調信号をＡＤ変換するものである。モニタ８０３は、例えばＬＣＤからなり、ビデオデコーダ８０２によりＡＤ変換されたデジタルビデオ信号の画像を表示するものである。記録媒体８０５は、ＪＰＥＧデータを記録するためのものである。ワイヤレスモジュール８０６は、ワイヤレス端末９０にＪＰＥＧデータを無線伝送するためのものである。
【０００６】
ワイヤレス端末９０は、居室親機８０から無線伝送されたＪＰＥＧデータを受信するワイヤレスモジュール９０１と、ワイヤレスモジュール９０１により受信したＪＰＥＧデータを伸張し、デジタルビデオ信号にデコードするＪＰＥＧデコーダ９０２と、このＪＰＥＧデコーダ９０２によりデコードされたデジタルビデオ信号を表示するモニタ９０３とを備えている。
【０００７】
以上のようなインターホン装置６１において、カメラ付き玄関子機７０のカメラ７０１により撮像され生成されたビデオ信号は変調回路７０２により変調され、伝送線路１００を介して居室親機８０に送信される。
居室親機８０に送信された変調信号は復調回路８０１によりビデオ信号に復調され、ビデオデコーダ８０２によりＡＤ変換される。ＡＤ変換されたデジタルビデオ信号の画像は、モニタ８０３に入力され、表示される。
また、ＡＤ変換されたデジタルビデオ信号は、ＣＰＵ８０４による制御に基づき、例えばＶＧＡ、ＱＶＧＡの画面サイズの録画用のＪＰＥＧデータ、または、例えばＱＱＶＧＡの画面サイズのワイヤレス端末への伝送用のＪＰＥＧデータ、に適宜エンコードされる。ＣＰＵ８０４の制御に基づき生成された録画用のＪＰＥＧデータは、記録媒体８０５に記録される。一方、ＣＰＵ８０４の制御に基づき生成された伝送用のＪＰＥＧデータは、ワイヤレスモジュール８０６に送信され、ワイヤレス端末９０に無線伝送される。
居室親機８０のワイヤレスモジュール８０６からワイヤレス端末９０のワイヤレスモジュール９０１に無線伝送されたＪＰＥＧデータは、ＪＰＥＧデコーダ９０２により伸張され、伸張された画像データはモニタ９０３に入力され、表示される。
【０００８】
このような構成のインターホン装置６１の居室親機８０では、録画用のＪＰＥＧデータおよび伝送用のＪＰＥＧデータは、上述のようにＣＰＵ８０４の処理により、そのデータの生成が必要なタイミングにその都度生成される。このため、ＣＰＵ８０４にかかる処理負荷が高いものとなっていた。また、生成されるＪＰＥＧデータのサイズがワイヤレス端末９０への伝送容量を超えないようにすべく、ＪＰＥＧデータ生成時の圧縮率が予め高く設定されており、画質劣化が大きいものとなっていた。
【発明の開示】
【発明が解決しようとする課題】
【０００９】
本発明は、インターホン装置の居室親機におけるＣＰＵの処理負荷を低減し、また、生成されるＪＰＥＧデータの画質劣化を低減することを課題とするものである。
【課題を解決するための手段】
【００１０】
かかる課題を解決するため、本願発明者は、以下のようなインターホン装置を提案する。
【００１１】
本願のインターホン装置は、来訪者を撮像するカメラおよび居住者を呼び出す機能を備えるカメラ付き玄関子機と、前記カメラの撮像画像を表示するモニタまたは前記カメラ付き玄関子機からの呼び出しに応答する機能のうちの少なくとも一方を有する居室親機とを有するインターホン装置である。
この居室親機は、前記カメラ付き玄関子機の前記カメラにより撮像されたデータである撮像画像データをＡＤ変換してデジタルビデオ信号を出力するデータ変換手段と、前記データ変換手段の出力に含まれる所定の信号が出力されるタイミングに基づいて前記デジタルビデオ信号を圧縮するデータ圧縮手段と、前記データ変換手段の出力に含まれる所定の信号が出力されるタイミングに基づいて前記データ圧縮手段から出力されるデータの出力先を切り替える出力先切り替え手段と、を有しており、前記データ圧縮手段は、所定の画面サイズの第１圧縮データと、この第１圧縮データと画面サイズまたは圧縮率の少なくとも一方が異なる、少なくとも一つ以上の第Ｎ圧縮データ（Ｎは２以上の整数）とを所定の間隔ごとに順番に生成するようになっており、前記出力先切り替え手段は、前記第１圧縮データを第１の出力先に出力し、前記第Ｎ圧縮データを前記第１の出力先と異なる、少なくとも一つ以上の第Ｎの出力先に出力するようになっている。
このインターホン装置では、データ変換手段の出力に含まれる所定の信号が出力されるタイミングに基づいて、デジタルビデオ信号を第１圧縮データまたは第Ｎ圧縮データに圧縮するようになっているとともに、データ変換手段の出力に含まれる所定の信号が出力されるタイミングに基づいてデータ圧縮手段から出力されるデータの出力先を切り替えるようになっている。すなわち、このインターホン装置によれば、所定のタイミングに基づいて自動的に第１圧縮データまたは第Ｎ圧縮データに圧縮されるので、記録用のデータや伝送用のデータ等の用途に適した画面サイズや圧縮率で圧縮データを自動的に生成することができ、また、圧縮データの出力先も自動的に切り替わるようになっているので、ＣＰＵが必要に応じてその都度圧縮データを生成するとともに適切な出力先に適宜データを出力する必要がないため、ＣＰＵの処理負荷を低減することができる。
【００１２】
データ圧縮手段は、データ変換手段の出力に含まれる所定の信号が出力されるタイミングに基づいて、所定の間隔ごとに二つ以上の圧縮データを順番に生成するようになっていればよい。
上記圧縮は、例えば所定の信号がＮ回出力される度に行うようにしてもよいが、前記データ変換手段の出力に含まれる所定の信号が出力される度（Ｎ＝１）に、前記デジタルビデオ信号を圧縮するようにすることができる。こうすれば、所定の信号が数回出力される度に圧縮を行う場合に比して、ワイヤレス端末へ伝送された圧縮データの画質を向上することができる。
このデータ圧縮手段は、画面サイズまたは圧縮率の少なくとも一方が異なる圧縮データを二つ以上生成するようになっていればよく、それぞれ画面サイズまたは圧縮率の少なくとも一方が異なる三種類の圧縮データが所定の間隔ごとに順番に生成されるようになっていてもよい。このようにすれば、ワイヤレス端末が二つ以上あり、それぞれの画面サイズや伝送レートが異なる場合にも対応することができる。また「順番に」とは、一定の規則性があればどのような順序であってもよい。
【００１３】
前記データ圧縮手段は、前記第１圧縮データまたは前記第Ｎ圧縮データをＭ個ずつ順番に生成するようになっており、前記出力先切り替え手段は、前記データ変換手段の出力に含まれる所定の信号がＭ回出力される度に前記データの出力先を切り替えるようになっていてもよい。例えば、データ圧縮手段が二つの圧縮データを生成する場合、所定の信号が出力される度に圧縮を行い、第１圧縮データ、第１圧縮データ、第２圧縮データ、第２圧縮データ・・・というように各圧縮データを２個ずつ生成するようになっていてもよいし、第１圧縮データ、第１圧縮データ、第１圧縮データ、第２圧縮データ、第２圧縮データ、第２圧縮データ、第１圧縮データ・・・というように各圧縮データを３個ずつ生成するようになっていてもよい。
【００１４】
前記データ変換手段の出力に含まれる所定の信号は、一定の間隔で出力される信号であればよく、例えば前記データ変換手段が出力する垂直同期信号またはフィールド信号である。
【００１５】
前記居室親機は、前記第１圧縮データおよび前記第Ｎ圧縮データのうち、少なくとも１つの圧縮データのデータサイズが所定の範囲内のサイズであるか否かを判定するデータサイズ判定手段をさらに有しており、前記データサイズ判定手段は、前記圧縮データのデータサイズが所定の範囲内にないと判定した場合、前記圧縮データのデータサイズが前記所定の範囲内となるように、前記圧縮データの圧縮率を可変させてさらに圧縮するように制御するようになっていてもよい。
このような構成にすれば、例えば、第１圧縮データおよび第Ｎ圧縮データのうち、少なくともの１つの圧縮データが伝送用のデータである場合、伝送容量に合わせたデータサイズを任意設定することで、適正なサイズとなるように圧縮率を可変させることができ、画質を向上させることができる。また、第１圧縮データおよび第Ｎ圧縮データのうち、少なくともの１つの圧縮データが記録用のデータである場合にも、同様に圧縮率を可変させることができるので、画質を向上させることができる。
なお、以上のデータサイズ判定手段において、２つ以上の圧縮データについて同様の処理を行うようにしてもよいし、しないようにしてもよい。圧縮データについて同様の処理を行った場合には、上述のように、画質を向上させることができる。
【００１６】
また、本願発明者は、以下のような居室親機を提案する。
この居室親機は、来訪者を撮像するカメラおよび居住者を呼び出す機能を備えるインターホン装置のカメラ付き玄関子機と組み合わせて用いられ、前記カメラの撮像画像を表示するモニタまたは前記カメラ付き玄関子機からの呼び出しに応答する機能の少なくとも一方を有している。
この居室親機は、前記インターホン装置の居室親機は、前記カメラ付き玄関子機の前記カメラにより撮像されたデータである撮像画像データをＡＤ変換してデジタルビデオ信号を出力するデータ変換手段と、前記データ変換手段の出力に含まれる所定の信号が出力されるタイミングに基づいて前記デジタルビデオ信号を圧縮するデータ圧縮手段と、前記データ変換手段の出力に含まれる所定の信号が出力されるタイミングに基づいて前記データ圧縮手段から出力されるデータの出力先を切り替える出力先切り替え手段と、を有しており、前記データ圧縮手段は、所定の画面サイズの第１圧縮データと、この第１圧縮データと画面サイズまたは圧縮率の少なくとも一方が異なる、少なくとも一つ以上の第Ｎ圧縮データ（Ｎは２以上の整数）とを所定の間隔ごとに順番に生成するようになっており、前記出力先切り替え手段は、前記第１圧縮データを第１の出力先に出力し、前記第Ｎ圧縮データを前記第１の出力先と異なる、少なくとも一つ以上の第Ｎの出力先に出力するようになっている。
このような居室親機を使用することにより、上述のように、居室親機のＣＰＵの処理負荷を低減することができる。
【００１７】
上述の居室親機は、前記第１圧縮データおよび前記第Ｎ圧縮データのうち、少なくともの１つの圧縮データのデータサイズが所定の範囲内のサイズであるか否かを判定するデータサイズ判定手段をさらに有しており、前記データサイズ判定手段は、前記圧縮データのデータサイズが所定の範囲内にないと判定した場合、前記圧縮データのデータサイズが前記所定の範囲内となるように、前記圧縮データの圧縮率を可変させてさらに圧縮するように制御するようにしてもよい。
居室親機をこのような構成によれば、上述のように、第１圧縮データおよび第Ｎ圧縮データのうち、少なくともの１つの圧縮データが伝送用のデータである場合、伝送容量に合わせたデータサイズを任意設定することで、適正なサイズとなるように圧縮率を可変させることができ、画質を向上させることができる。
なお、この居室親機のデータ圧縮手段、出力先切り替え手段は、上述のような構成にすることができる。
【００１８】
以上説明したような、インターホン装置の居室親機と同様の効果を、例えば、以下のような方法により得ることができる。
この方法は、来訪者を撮像するカメラおよび居住者を呼び出す機能を備えるインターホン装置のカメラ付き玄関子機と組み合わせて用いられる機器において実行される方法である。
そして、前記カメラ付き玄関子機の前記カメラにより撮像されたデータである撮像画像データをＡＤ変換してデジタルビデオ信号を出力する過程と、前記デジタルビデオ信号に含まれる所定の信号が出力されるタイミングに基づいて前記デジタルビデオ信号を圧縮し、所定の画面サイズの第１圧縮データと、この第１圧縮データと画面サイズまたは圧縮率の少なくとも一方が異なる、少なくとも一つ以上の第Ｎ圧縮データ（Ｎは２以上の整数）とを所定の間隔ごとに順番に生成する過程と、前記デジタルビデオ信号に含まれる所定の信号が出力されるタイミングに基づいて、前記第１圧縮データを第１の出力先に出力し、前記第Ｎ圧縮データを前記第１の出力先と異なる、少なくとも一つ以上の第Ｎの出力先に出力するように、圧縮データの出力先を切り替える過程と、を有する。
【００１９】
このデータ処理方法は、前記第１圧縮データおよび前記第Ｎ圧縮データのうち、少なくともの１つの圧縮データのデータサイズが所定の範囲内のサイズであるか否かを判定し、前記圧縮データのデータサイズが所定の範囲内にないと判定した場合、前記圧縮データのデータサイズが前記所定の範囲内となるように、前記圧縮データの圧縮率を可変させて再度圧縮する過程をさらに有していてもよい。
【発明の効果】
【００２０】
本発明によれば、インターホン装置の居室親機のＣＰＵの処理負荷を低減し、また、ＪＰＥＧデータの画質劣化を低減することができる。
【発明を実施するための最良の形態】
【００２１】
以下、本発明の好ましい一実施形態を、図面を参照しながら詳細に説明する。
【００２２】
この実施形態によるインターホン装置１は、概略で図１に示したように構成される。インターホン装置１は、カメラ付き玄関子機１０と、このカメラ付き玄関子機１０から伝送されたビデオ信号を受信し、受信したビデオ信号をモニタに映すことができる居室親機２０と、カメラ付き玄関子機１０からの画像が居室親機から無線伝送して表示されるワイヤレス端末３０とを含んでいる。
カメラ付き玄関子機１０は、主に住戸の玄関に設置され、居住者を呼び出すために用いられ、居室親機２０は、その住戸内に設置され、カメラ付き玄関子機１０からの呼び出しに応答するために用いられる。このカメラ付き玄関子機１０と居室親機２０とは伝送線路４０を介して接続される。ワイヤレス端末３０は、居住者が携帯可能でカメラ付き玄関子機１０からの呼び出しに応答することが可能となっており、住戸内の適当な場所で、適宜使用される。
【００２３】
以下、カメラ付き玄関子機１０、居室親機２０、およびワイヤレス端末３０の構成について説明する。まず、カメラ付き玄関子機１０の構成を説明する。
【００２４】
カメラ付き玄関子機１０は、来訪者を撮像するカメラ１０１と、このカメラ１０１から出力されるビデオ信号を変調し伝送する変調回路１０２とを備える。
【００２５】
居室親機２０は、復調回路２０１と、ビデオデコーダ２０２と、モニタ２０３と、ＪＰＥＧエンコーダ２０４と、量子化テーブル２０５と、スケーラ２０６と、データサイズ判定部２０７と、バッファ２０８と、マルチプレクサ２０９と、タイミング発生回路２１０と、録画制御部２１１と、記録媒体２１２と、シリアル通信器２１３と、ワイヤレスモジュール２１４とを備える。
復調回路２０１は、カメラ付き玄関子機１０から受信した変調されたビデオ信号、すなわち変調信号を復調するものである。
ビデオデコーダ２０２は、復調回路２０１により復調されたビデオ信号、すなわち復調信号をＡＤ変換するものである。モニタ２０３は、ビデオデコーダ２０２によりＡＤ変換され出力されたデジタルビデオ信号を表示するものである。
ＪＰＥＧエンコーダ２０４は、デジタルビデオ信号を圧縮し、圧縮画像データ、すなわちＪＰＥＧデータにエンコードするものである。
量子化テーブル２０５は、ＪＰＥＧエンコーダの圧縮率を設定するものである。
スケーラ２０６は、量子化テーブルの係数を変更するものである。
タイミング発生回路２１０は、ＪＰＥＧエンコーダ２０４により生成されるＪＰＥＧデータの圧縮率を切り替えるタイミング、およびマルチプレクサ２０９によるＪＰＥＧデータの出力先を切り替えるタイミング信号を出力するものである。
データサイズ判定部２０７は、ＪＰＥＧエンコーダ２０４により生成される二種類のＪＰＥＧデータのデータサイズが、それぞれ設定されたサイズの範囲内に入っているか否かを判定するものである。
バッファ２０８は、ＪＰＥＧデータのデータサイズがデータサイズ判定部２０７の設定されたサイズの範囲内であった場合にデータサイズ判定部２０７から出力されるＪＰＥＧデータを一時的に格納するものである。
マルチプレクサ２０９は、タイミング発生回路２１０からの信号に基づき、バッファ２０８から受け取ったＪＰＥＧデータの出力先を切り替えるものである。
録画制御部２１１は、マルチプレクサ２０９から出力される録画用のＪＰＥＧデータの録画制御を行うものである。
記録媒体２１２は、録画制御部２１１により録画用のＪＰＥＧデータを格納するものである。
シリアル通信部２１３は、マルチプレクサ２０９から出力される伝送用のＪＰＥＧデータの伝送制御を行うものである。
ワイヤレスモジュール２１４は、ワイヤレス端末３０にＪＰＥＧデータを無線伝送するためのものである。
【００２６】
ワイヤレス端末３０は、居室親機２０から無線伝送されてきたＪＰＥＧデータを受信するワイヤレスモジュール３０１と、ワイヤレスモジュール３０１により受信したＪＰＥＧデータを伸張し、デジタルビデオ信号にデコードするＪＰＥＧデコーダ３０２と、このＪＰＥＧデコーダによりデコードされたデジタルビデオ信号を表示するモニタ３０３とを備えている。
【００２７】
次に、以上のような構成のインターホン装置１の動作について、説明する。ただし、インターホン装置１の基本動作であるカメラ付き玄関子機１０から居室親機２０の呼び出し、居室親機２０によるその応答操作に伴う動作は従来と同様であるため説明を省略し、ここでは、カメラ付き玄関子機１０の呼出操作に基づきカメラ１０１から出力されるビデオ信号の流れを中心に説明する。
【００２８】
カメラ付き玄関子機１０のカメラ１０１により撮像され生成されたビデオ信号Ｓ１は、変調回路１０２により変調され、変調信号Ｓ２として伝送線路４０を介して居室親機２０に送信される。
【００２９】
居室親機２０に送信された変調信号Ｓ２は、復調回路２０１に入力されて復調され、ビデオ信号Ｓ３としてビデオデコーダ２０２に入力される。ビデオデコーダ２０２は、ビデオ信号Ｓ３の同期再生とＡＤ変換を実行し、デジタルビデオ信号Ｓ４を出力する。
【００３０】
このデジタルビデオ信号Ｓ４は、モニタ２０３、ＪＰＥＧエンコーダ２０４、およびタイミング発生回路２１０に入力される。
モニタ２０３に入力されたデジタルビデオ信号Ｓ４の画像は、モニタ２０３に表示される。
【００３１】
一方、ＪＰＥＧエンコーダ２０４は、入力されたデジタルビデオ信号Ｓ４をスケーラ２０６および量子化テーブル２０５の設定に基づいた圧縮率でＪＰＥＧ圧縮し、ＪＰＥＧデータｄ１を出力する。
ここで、本実施形態のタイミング発生回路２１０は、ビデオデコーダ２０２の出力するデジタルビデオ信号Ｓ４に含まれるフィールド信号または垂直同期信号に基づいて、所定のタイミングでスケーラ２０６およびマルチプレクサ２０９にタイミング信号を送信するようになっており、本実施形態のスケーラ２０６は、このタイミング信号毎に圧縮率および画面サイズを切り替えて、ＪＰＥＧエンコーダ２０４による圧縮を行うようＪＰＥＧエンコーダ２０４を制御するようになっている。
よって、ＪＰＥＧエンコーダ２０４は、図２のように、圧縮率および画面サイズの異なる二種類のＪＰＥＧデータ、すなわち第１ＪＰＥＧデータ（１）、第２ＪＰＥＧデータ（２）を交互に出力することとなる。この第１ＪＰＥＧデータ（１）、第２ＪＰＥＧデータには、それぞれ異なるヘッダが付されて出力される。
ＪＰＥＧデータの画面サイズは、記録用のデータを例えばＶＧＡやＱＶＧＡ、伝送用のデータを例えばＱＱＶＧＡ、とすることができる。
【００３２】
なお、本実施形態のタイミング発生回路２１０は、フィールド信号または垂直同期信号が出力される度にスケーラ２０６およびマルチプレクサ２０９にタイミング信号を送信するようになっているものとして説明するが、これに限られず、例えばフィールド信号または垂直同期信号が出力される度にスケーラ２０６にタイミング信号を送信するようになっている一方、フィールド信号または垂直同期信号がＭ回出力される度にマルチプレクサ２０９にタイミング信号を送信するようになっていてもよい。この場合、スケーラ２０６は、圧縮率および画面サイズの異なる二種類のＪＰＥＧデータをＭ個ずつ交互に出力するように設定される。
例えば、タイミング発生回路２１０が、フィールド信号または垂直同期信号が二回出力される度にマルチプレクサ２０９にタイミング信号を送信するようになっている場合、スケーラ２０６は、図３のように、第１ＪＰＥＧデータ（１）、第２ＪＰＥＧデータ（２）を２個ずつ交互に出力するように設定するようにしてもよい。
また、タイミング発生回路２０８は、必ずしもフィールド信号または垂直同期信号に基づいてタイミング信号を生成するようにする必要はなく、一定の間隔で出力される信号であればよい。
【００３３】
ＪＰＥＧエンコーダ２０４から出力されたＪＰＥＧデータｄ１は、データサイズ判定部２０７に入力される。このデータサイズ判定部２０７には、基準となるデータサイズ、すなわち記録媒体２１２に記録するための録画用のデータサイズ、およびワイヤレス端末３０に伝送するための伝送用のデータサイズの二種類が予め設定されている。ここでは、第１画面サイズのデータは第１データサイズ、第２画面サイズのデータは第２データサイズが基準として設定されているものとする。
【００３４】
以下、データサイズ判定部２０７の動作を図４のフローチャートに基づいて説明する。
ＪＰＥＧエンコーダ２０４から出力されたＪＰＥＧデータｄ１は、データサイズ判定部２０７に入力される（ＳＴ５１）。
データサイズ判定部２０７は、ＪＰＥＧエンコーダ２０４から入力されたＪＰＥＧデータｄ１のヘッダにより、このＪＰＥＧデータｄ１のデータサイズを録画用のデータサイズまたは伝送用のデータサイズのいずれかと比較し、ＪＰＥＧデータｄ１のデータサイズが設定された録画用のデータサイズまたは伝送用のデータサイズの範囲内である場合（ＳＴ５２：Ｙｅｓ）は、このＪＰＥＧデータをバッファ２０８に出力する（ＳＴ５３）。
一方、ＪＰＥＧデータｄ１のデータサイズが設定された録画用のデータサイズまたは伝送用のデータサイズの範囲外である場合（ＳＴ５２：Ｎｏ）は、バッファへ２０８の出力は行わず、スケーラ２０６の設定変更を行い、異なる圧縮率でＪＰＥＧエンコーダ２０４によるＪＰＥＧデータｄ１の圧縮が再度実行される（ＳＴ５４）。ＪＰＥＧエンコーダ２０４から出力されたＪＰＥＧデータｄ１は、再度データサイズ判定部２０７に入力され（ＳＴ５１）、上述のように、データサイズ判定部２０７は、ヘッダにより、ＪＰＥＧデータｄ１のデータサイズを録画用のデータサイズまたは伝送用のデータサイズのいずれかとの比較を行う（ＳＴ５２）。
このようにして、ＪＰＥＧデータｄ１のデータサイズが設定された録画用のデータサイズまたは伝送用のデータサイズの範囲外である場合には、ＪＰＥＧデータｄ１のデータサイズが設定された範囲内のＪＰＥＧデータｄ２となるまで可変スケーリングが行われるようになっている。
【００３５】
バッファ２０８に出力されたＪＰＥＧデータｄ２は、マルチプレクサ２０９に入力される。
マルチプレクサ２０９は、タイミング発生回路２１０からタイミング信号が入力される度に、バッファ２０８から受け取ったＪＰＥＧデータｄ２の出力先を切り替えるようになっており、ＪＰＥＧデータｄ２を録画制御部２１１またはシリアル通信部２１３のいずれかに出力する。これにより、ＪＰＥＧエンコーダ２０４により生成されたＪＰＥＧデータは、録画用のＪＰＥＧデータ、または伝送用のＪＰＥＧデータのいずれかに振り分けられることとなる。
【００３６】
録画制御部２１１は、マルチプレクサ２０９から入力されたＪＰＥＧデータｄ３を記録媒体２１２に記録する。
シリアル通信部２１３は、マルチプレクサ２０９から入力されたＪＰＥＧデータｄ４をワイヤレスモジュール２１４からワイヤレス端末３０に無線伝送するように制御する。
【００３７】
居室親機２０のワイヤレスモジュール２１４からワイヤレス端末３０のワイヤレスモジュール３０１に無線伝送されたＪＰＥＧデータｄ４は、ＪＰＥＧデコーダ３０２により伸張され、伸張された画像データｄ５はモニタ３０３に入力され、表示される。
【００３８】
以上のようなインターホン装置１によれば、ビデオデコーダ２０２の出力に含まれるフィールド信号または垂直同期信号が出力されるタイミングに基づいてＪＰＥＧエンコーダ２０４により自動的に画面サイズまたは圧縮率の少なくとも一方が異なる二種類のＪＰＥＧデータが生成され、そのうち一方が記録用のデータ、他方が伝送用のデータとなるようにＪＰＥＧデータの出力先が自動的に切り替わるようになっているので、必要に応じてその都度ＣＰＵがＪＰＥＧデータを生成して割り振る必要がなく、従来よりもＣＰＵの処理負荷を低減することができる。
【００３９】
また、データサイズ判定部２０７にそれぞれの用途に合わせたデータサイズを任意設定し、適正なサイズとなるように圧縮率を可変して再圧縮を行うことができるので、予め高い圧縮率を設定する場合よりも画質を向上させることができる。
【００４０】
また、フィールド信号または垂直同期信号が出力される度にデジタルビデオ信号を圧縮するようになっているので、ワイヤレス端末３０へ伝送された圧縮データを一定のフレームレートで表示することができ、画質を一定にすることができる。
【００４１】
なお、以上説明した本実施形態においては、データサイズ判定部２０７において、伝送用、録画用の双方のＪＰＥＧデータについて判定するものとして説明したが、必ずしも双方について判定する必要はなく、例えば録画用のＪＰＥＧデータについては判定しないように構成してもよい。
【００４２】
また、ＪＰＥＧエンコーダ２０４による圧縮は、必ずしもフィールド信号または垂直同期信号毎に行う必要はなく、フィールド信号または垂直同期信号が出力されるタイミングに基づいて行うようにすればよい。
【００４３】
また、ＪＰＥＧエンコーダ２０４は、画面サイズまたは圧縮率の少なくとも一方が異なる圧縮データを二つ以上生成するようになっていればよく、例えば、それぞれ画面サイズまたは圧縮率の少なくとも一方が異なる三種類の圧縮データが所定の間隔ごとに順番に生成されるようになっていてもよい。このようにすれば、ワイヤレス端末が二つ以上ある場合や、ワイヤレス端末以外の機器にそれぞれの画面サイズや伝送レートが異なる場合にも対応することができる。なお、「順番に」とは、一定の規則性があればどのような順序であってもよい。
三種類の圧縮データを生成するようにした場合、マルチプレクサは３つの出力先にそれぞれの圧縮データを出力するように切り替わるようになっている。例えば、第１圧縮データは上述した録画制御部に、第２圧縮データは第１シリアル通信部に、第３圧縮データは第２シリアル通信部に出力されるように構成することができる。第２圧縮データは第１ワイヤレスモジュールを通じて第１ワイヤレス端末に、第３圧縮データは第２ワイヤレスモジュールを通じて第２ワイヤレス端末に送信されるように構成することができる。また、第３圧縮データは、ＬＡＮを通じて他の機器に送信されるように構成してもよい。
また、本実施形態では、圧縮データとしてＪＰＥＧデータが生成される例について説明したが、これに限られず、他の形式のデータであってもよい。
【図面の簡単な説明】
【００４４】
【図１】本実施形態のインターホン装置の全体構成を示す図。
【図２】本実施形態のＪＰＥＧエンコーダにより生成される二種類のＪＰＥＧデータの出力を示す図。
【図３】変形例における、ＪＰＥＧエンコーダにより生成される二種類のＪＰＥＧデータの出力を示す図。
【図４】本実施形態のデータサイズ判定部の動作を示すフローチャート。
【図５】従来のインターホン装置の全体構成を示す図。
【符号の説明】
【００４５】
１，６１・・インターホン装置、１０，７０・・カメラ付き玄関子機、２０，８０・・居室親機、３０，９０・・ワイヤレス端末（第２の出力先）、４０，１００・・伝送線路、１０１，７０１・・カメラ、１０２，７０２・・変調回路、２０１，８０１・・復調回路、２０２，８０２・・ビデオデコーダ（データ変換手段）、２０３，３０３，８０３，９０３・・モニタ、２０４，８０４・・ＪＰＥＧエンコーダ（データ圧縮手段）、２０５・・量子化テーブル、２０６・・スケーラ、２０７・・データサイズ判定部、２０８・・バッファ、２０９・・マルチプレクサ（出力先切り替え手段）、２１０・・タイミング発生回路、２１１・・録画制御部、２１２，８０５・・記録媒体、２１３・・シリアル通信部、２１４，３０１，８０６，９０１・・ワイヤレスモジュール、３０２，９０２・・ＪＰＥＧデコーダ
【図１】
2010130521.tif 000003
【図２】
2010130521.tif 000004
【図３】
2010130521.tif 000005
【図４】
2010130521.tif 000006
【図５】
2010130521.tif 000007